(57)【要約】【課題】リール本体の小型化を可能とした魚釣用リールを提供する。【解決手段】リール本体１と、このリール本体１に内装されて、ハンドル７の回転運動により回転する駆動軸２と、この駆動軸２と直交するようにリール本体１の内部に架設されて、駆動軸２と連動して回転する、外周面に螺旋状の溝３１を有する螺軸３と、先端にスプール８を有し、後端に螺旋状の溝３１に係合する係合ピン５１を収容保持する摺動子５を有し、螺軸３と平行にリール本体１に配設されるスプール軸４とを備える魚釣用リールであって、螺軸３と係合ピン５１とが、互いの外径中心線が駆動軸２と直交する方向に一致した状態で配置されるとともに、係合ピン５１の外径中心線の延長上にスプール軸４と螺軸３と係合ピン５１とが上下方向に配設されている。【選択図】図２
2008245561.tif 000002
【特許請求の範囲】
【請求項１】
リール本体と、
前記リール本体に内装されて、ハンドルの回転運動により回転する駆動軸と、
前記駆動軸と直交するように前記リール本体の内部に架設されて、前記駆動軸と連動して回転する、外周面に螺旋状の溝を有する螺軸と、
先端にスプールを有し、後端には前記螺旋状の溝に係合する係合ピンを収容保持する摺動子を有し、前記螺軸と平行に前記リール本体に配設されて前記螺軸の回転と連動して前記係合ピンを介して前後方向に往復運動するスプール軸と、を備え、
前記係合ピンの外径中心線の延長上に前記スプール軸と前記螺軸と前記係合ピンとが配設されることを特徴とする魚釣用リール。
【請求項２】
前記摺動子は、前記スプール軸と平行に架設されたガイド軸を挿通しており、該ガイド軸に沿って摺動することを特徴とする請求項１に記載の魚釣用リール。
【請求項３】
前記係合ピンが、前記螺軸の反スプール軸側から該螺軸に係合し、
前記ガイド軸が、前記係合ピンの反螺軸側端面に当接していることを特徴とする請求項２に記載の魚釣用リール。
【請求項４】
前記係合ピンが、前記螺軸のスプール軸側から該螺軸に係合し、
前記スプール軸が、前記係合ピンの反螺軸側端面に当接していることを特徴とする請求項１または請求項２に記載の魚釣用リール。
【請求項５】
前記摺動子が、該摺動子に形成された取付部を前記スプール軸の後端部に形成された切欠係止部に固着部材を介して固着することにより、該スプール軸に固着されることを特徴とする請求項１乃至請求項４のいずれか１項に記載の魚釣用リール。
【発明の詳細な説明】
【技術分野】
【０００１】
本発明は、魚釣用リールに関し、特に、ハンドルの回転に連動してスプールを前後方向に往復運動させるスプール往復機構を備えた魚釣用リールに関する。
【背景技術】
【０００２】
魚釣用リールにおいて、スプールをハンドルの回転に連動して前後運動させることにより釣り糸をスプールに平行に巻着するものが知られている。このような、スプールの前後運動は、スプール軸の後部に取り付けられた摺動子が、スプール軸と直交する軸心を中心に回転するハンドルの回転を、前後方向の往復運動に変換することにより行なわれる。
【０００３】
摺動子を介したスプールの前後運動は、スプール軸と平行に架設されてハンドルの回転と連動して回転する螺軸に対して、螺軸の外周面に形成された螺旋状の溝に摺動子が保持する係合ピンを係合させることにより、螺軸の回転にともない係合ピンが螺旋状の溝に沿って移動することにより行われる。
【０００４】
従来、この種の摺動子を備えた魚釣用リールとして、例えば、特許文献１，２に開示されたものが知られている。
特許文献１に記載の魚釣用リールは、非円形断面に形成されたスプール軸の後端部に摺動子が装着され、この摺動子を挿通可能な螺軸がこのスプール軸とリール本体の幅方向に離間して配設されている。この摺動子には、螺軸に対して、下方（竿取付部と反対側のボディ底部）から上方に向けて螺軸の螺旋状の溝に係合するように係合ピンが装着されている。
また、特許文献２に記載の魚釣用リールは、非円形断面に形成されたスプール軸の後端部に摺動子が装着され、この摺動子を挿通可能な螺軸がスプール軸と斜め下方に離間して配設されている。摺動子には、螺軸に対して、横方向（ハンドル軸に沿った方向）から係合するように係合ピンが装着されている。
【０００５】
【特許文献１】実開平２−１１３９７０号公報
【特許文献２】実開昭６２−１０７６３号公報
【発明の開示】
【発明が解決しようとする課題】
【０００６】
ところで、前記した特許文献１に記載の魚釣用リールでは、スプール軸と螺軸とがリール本体の幅方向に離間しているため、摺動子およびリール本体の幅が広くなり、リール本体の小型化および軽量化の障害となっていた。
また、特許文献２に記載の魚釣用リールは、スプール軸と螺軸とがリール本体の幅方向に離間しているとともに、係合ピンが螺軸に対して横方向から係合するため、摺動子およびリール本体の幅が広くなり、リール本体の小型化および軽量化の障害となっていた。
【０００７】
このような観点から、本発明は、リール本体の小型化を可能とした魚釣用リールを提供することを課題とする。
【課題を解決するための手段】
【０００８】
このような課題を解決する本発明の魚釣用リールは、リール本体と、前記リール本体に内装されて、ハンドルの回転運動により回転する駆動軸と、前記駆動軸と直交するように前記リール本体の内部に架設されて、前記駆動軸と連動して回転する、外周面に螺旋状の溝を有する螺軸と、先端にスプールを有し、後端には前記螺旋状の溝に係合する係合ピンを収容保持する摺動子を有し、前記螺軸と平行に前記リール本体に配設されて前記螺軸の回転と連動して前記係合ピンを介して前後方向に往復運動するスプール軸と、を備え、前記係合ピンの外径中心線の延長上に前記スプール軸と前記螺軸と前記係合ピンとが配設されることを特徴としている。
【０００９】
この魚釣用リールによれば、スプール軸と螺軸と係合ピンとが、縦方向（駆動軸と直交する方向）に並んだ状態で配設されるため、摺動子の駆動軸方向に対する厚みを薄くすることが可能となる。そのため、ドライブギヤ等の他の部材との取り合いにより、限られたリール本体の内部の空間において、スプール軸の前後運動に伴う摺動子のガタツキを抑えるためのガイド軸等を配置するスペースを確保することが可能となる。また、摺動子の厚みを薄くすることにより、リール本体の厚みを薄くすることが可能となるため、リール本体の小型化が可能となるとともに、魚釣用リールのデザイン性の自由度が向上する。なお、中心線の延長上に配設されるとは、必ずしも各部材の中心線が一致している必要はなく、部材の断面の一部が中心線の延長線上に接している場合（略延長上）も含むものとする。
【００１０】
また、本発明において、前記摺動子は、前記スプール軸と平行に架設されたガイド軸を挿通しており、該ガイド軸に沿って摺動するように構成されていてもよい。
【００１１】
この魚釣用リールによれば、摺動子が螺軸と平行に配設されたガイド軸を挿通するため、摺動運動に伴い発生するスプール軸を中心とした回転方向のガタツキを抑えることが可能となり、スプールの前後方向の往復運動を安定させることが可能となる。なお、ガイド軸が、係合ピンの中心線の延長上に、係合ピン等と上下に配設されていれば、ガイド軸を配置することで摺動子およびリール本体幅方向の厚みが厚くなることがないため、好適である。
【００１２】
また、本発明において、前記係合ピンが、前記螺軸の反スプール軸側から該螺軸に係合していて、前記ガイド軸が前記係合ピンの反螺軸側端面に当接するように配設されていてもよい。または、前記係合ピンが、前記螺軸のスプール軸側から該螺軸に係合していて、前記スプール軸が、前記係合ピンの反螺軸側端面に当接していてもよい。
【００１３】
このような魚釣用リールによれば、係合ピンを保持するための部材を別途用いることなく、リール本体の内部に架設されたガイド軸またはスプール軸を利用して係合ピンを保持穴内に嵌合することが可能なため、リール本体の更なる小型化を図ることが可能となる。また、部品点数を減らすことで魚釣用リールの組立て作業を容易にすることが可能となるとともに、軽量化も可能となる。
【００１４】
また、本発明において、前記摺動子が、該摺動子に形成された取付部を前記スプール軸の後端部に形成された切欠係止部に固着部材を介して固着することにより、該スプール軸に固着されていてもよい。
【００１５】
この魚釣用リールによれば、摺動子とスプール軸との取り付けについて、面同士を当接させることにより行うことで、従来抜き型枠により形成された嵌合部と比較して、当接面の不良などによる影響が小さい。そのため、スプール軸の前後方向の直線性を維持して、円滑な前後方向の摺動案内を確保することが可能となる。また、スプール軸の後端部を覆うように形成される従来の摺動子の嵌合部と比較して、スプール軸の係止部を覆う部分を省略して、摺動子の小型化および軽量化が可能となる。
【発明の効果】
【００１６】
本発明によれば、リール本体の幅方向の厚みを小さくできるので、リール本体の小型化を可能とした魚釣用リールが得られる。
【発明を実施するための最良の形態】
【００１７】
以下、本発明に係る魚釣用リールの実施の形態について図面を参照しながら説明する。
参照する図面において、図１は本発明の好適な実施形態に係る魚釣用リールとしてのスピニングリールを示す断面図（一部省略）である。図２は図１に示すスピニングリールを後方から望む断面図である。図３は図２に示すスピニングリールの摺動子を示す拡大断面図である。
【００１８】
なお、以下の例では、魚釣用リールとしてスピニングリールに適用した例を示すが、本発明の魚釣用リールの形態を限定する趣旨ではない。また、以下の説明において、「前、後、上、下」は、スピニングリールを図示しない釣竿に取り付けた状態を基準とする。つまり、後記するスプールが設けられる側が「前」側で、釣竿に取り付けられる脚部側が「上」側である。
【００１９】
本実施形態にかかる魚釣用リールＲは、図１に示すように、釣竿に装着するための脚部１１が形成されたリール本体１と、リール本体１に内装されて、ハンドル７の回転運動により回転する駆動軸筒（駆動軸）２と、駆動軸筒２と直交するようにリール本体１の内部に架設されて、駆動軸筒２と連動して回転する、外周面に螺旋状の溝３１を有した螺軸３と、先端にスプール８を有し、後端に螺旋状の溝３１に係合する係合ピン５１を収容保持する摺動子５を有し、螺軸３と平行にリール本体１に配設されるスプール軸４とを備えている。これらのスプール軸４と螺軸３と係合ピン５１は、図３に示すように、係合ピン５１の外径Ｄに対する中心線（外径中心線）Ｐの延長上（略延長上も含む）に、駆動軸筒２に対して、直交する方向に釣竿を装着する脚部１１を上側とする上下方向に配設されている。
【００２０】
図１に示すように、リール本体１は、前側が開口されていて、ロータ９を前部に回り止め固定する回転軸筒９１や、スプール８を先端に取り付けたスプール軸４等を回転あるいは摺動自在に支持している。
【００２１】
図２に示すように、リール本体１の左右の側面には、それぞれスプール軸４と直交する向きに配置された駆動軸筒２に対応する個所に挿通孔１２，１２が形成されている。挿通孔１２には、ベアリング等からなる軸支部材１３，１３が配置されており、リール本体１に内装された駆動軸筒２を回転可能に支持している。
【００２２】
なお、挿通孔１２，１２は、ハンドルアーム７２と、蓋部材１４により、遮蔽されて、不純物等がリール本体１の内部に入り込むことが防止されている。なお、挿通孔１２，１２の遮蔽方法は限定されるものではなく、適宜公知の方法により行えばよい。
【００２３】
図１および図２に示すように、リール本体１には、螺軸３を挟んで上下にガイド軸６，６が架設されている。ガイド軸６，６は、摺動子５に挿通されており、上側のガイド軸６がスプール軸４と螺軸３との間に、下側のガイド軸６が係合ピンの下に、螺軸３と平行となるように配置されている。なお、ガイド軸６は、少なくとも１本配置されていればよく、それ以上の本数や設置箇所は限定されるものではなく、適宜設定すればよい。
【００２４】
リール本体１に内装された駆動軸筒２は、図２に示すように、挿通孔１２，１２に配設された軸支部材１３，１３により回転可能に支持されている。かかる駆動軸筒２は、軸筒本体２１と軸筒本体２１に一体に形成されたドライブギヤ２２を備えて構成されている。なお、駆動軸筒２の構成は、限定されるものではなく、魚釣用リールＲの構成に応じて適宜設定すればよい。
【００２５】
軸筒本体２１は、軸心に貫通孔２３が形成された筒状の部材であって、この貫通孔２３には、一端側からハンドルアーム７２に一体に形成されたハンドル軸７１が貫通して内装されている。貫通孔２３は、図１に示すように、非円形断面に形成されたハンドル軸７１の断面形状と同形状に形成されて、ハンドル軸７１を嵌合して回り止め係合することにより、駆動軸筒２がハンドル軸７１の回転と一体に回転するように構成されている。なお、本実施形態では、貫通孔２３を六角形断面に形成するものとしたが、貫通孔２３の形状は適宜設定することが可能である。また、本実施形態では、ハンドル軸７１を内装することにより、ハンドル７の回転運動を駆動軸筒２に伝達する構成としたが、駆動軸筒２とハンドルとの連結方法は、限定されるものではなく、適宜設定することが可能である。
【００２６】
ドライブギヤ２２は、軸筒本体２１のハンドルアーム７２側の外周面に一体に形成された歯車であって、図１に示すように、回転軸筒９１の後側に一体形成されたピニオンギヤ９１ａと噛み合うように配置されている。
【００２７】
螺軸３は、図１に示すように、駆動軸筒２と直交するように、リール本体１の前後部間にわたって回転自在に架設されており、螺軸２の周面には、螺旋状の溝３１が形成されている。また、螺軸３の先端には、ピニオンギヤ９１ａと噛合する螺軸ギヤ３２が一体的に形成されている。
【００２８】
螺軸３の架設手段は限定されるものではないが、本実施形態では、リール本体１に形成された内壁１６に形成された挿通孔を挿通することにより螺軸３の先端部を保持し、リール本体１の後部に固定されたベアリング等からなる支持部材１５により螺軸３の後端部を保持することで、螺軸３が回転自在に支持されている。
螺軸３は、ピニオンギヤ９１ａに噛合された螺軸ギヤ３２を介して、駆動軸筒２の回転に連動して、螺軸３の軸心を中心に回転する。
【００２９】
図１および図２に示すように、螺軸３は、スプール軸４の後端に固着された摺動子５に貫通するとともに、螺軸３の螺旋状の溝３１には、摺動子５の保持穴５５に収容されて遊嵌された状態で保持される係合ピン５１が係合している。これにより、螺軸３の回転に伴い、係合ピン５１が螺旋状の溝３１に沿って摺動することで、摺動子５が、係合ピン５１を介して螺軸３の軸方向に沿って前後運動する。このとき、螺軸３と係合ピン５１は、図３に示すように、互いに中心線Ｐが一致するように、駆動軸筒２と直交する方向で上下方向に配設されている。
【００３０】
スプール軸４は、図１に示すように、先端部にスプール８を、後端部に摺動子５をそれぞれ有し、螺軸３と平行にリール本体１に前後方向に摺動可能に配設されている。
【００３１】
スプール軸４の後端部には、図３に示すように、スプール軸４の後端部を切り欠くことにより、断面半円状に形成された切欠係止部４１が形成されている。そして、切欠係止部４１の平面状に形成された係止面４１ａに摺動子５の上端部を切り欠くことにより形成された取付部５２の取付面５２ａを付き合わせた状態で、ネジなどからなる固着部材５３を螺着することにより、スプール軸４の後端部に摺動子５が固定されている。
【００３２】
スプール軸４は、図３に示すように、駆動軸筒２と直交する方向で、摺動子５内に遊嵌保持する係合ピン５１の外径Ｄの中心線Ｐの延長線上であって、ガイド軸６、螺軸３、係合ピン５１およびガイド軸６と上下方向に並んで配設されている。
【００３３】
スプール軸４の先端に配置されたスプール８は、図１に示すように、スカート部８１とフランジ８２との間に図示しない釣糸が巻回される胴部８３を備えており、ドラグノブ８４を回動操作することでスプール８のドラグ力が調節される。
【００３４】
摺動子５は、図１に示すように、スプール軸４の後端に固着されて、ハンドル軸６１の回転運動を前後の直線運動に変換する部材であって、螺軸３に係合する係合ピン５１を保持している。
【００３５】
摺動子５は、図１、図２および図３に示すように、係合ピン５１の外径Ｄの中心線Ｐの延長上においてスプール軸４と平行となるように架設されたガイド軸６，６を挿通しており、螺軸３の回転に伴い、ガイド軸６に沿って摺動する。
【００３６】
摺動子５には、図３に示すように、断面が縦長の長方形状に形成された部材であって、上端部を切り欠くことによりスプール軸４の切欠係止部４１に取り付けるための取付部５２が上端部に形成されている。また、摺動子５には、上下のガイド軸６，６を挿通する挿通孔５４，５４と、螺軸３を挿通し係合ピン５１を遊嵌状態で嵌合するように下方が開口した状態で形成された保持穴５５とが形成されている。
【００３７】
係合ピン５１は、保持穴５５の上部を貫通する螺軸３に形成された螺旋状の溝３１に係合可能な係合歯５１ａが形成された部材であって、係合歯５１ａが螺旋状の溝３１に係合した状態で、摺動子５に保持穴５５に遊嵌状態で嵌合されている。なお、係合ピン５１の構成は、円柱状の部材であれば、限定されるものではなく、適宜設定すればよい。
【００３８】
本実施形態では、係合ピン５１は、保持穴５５の上部を貫通する螺軸３の下側（スプール軸側の反対側）から螺軸３の螺旋状の溝３１に係合するように、保持穴５５に挿入された状態で、内壁１６及びリール本体１後部で支持されるガイド軸６により下端面が支持されている。
【００３９】
摺動子５は、螺軸３と上下のガイド軸６，６を、それぞれの中心線が係合ピン５１の外径Ｄの中心線Ｐと略一致するように、上下方向に配置し、さらに、スプール軸４がこの中心線の延長上に配置されるように、取付部５２が形成されている。これにより、スプール軸４と、ガイド軸６，６と、螺軸３と係合ピン５１は、駆動軸筒２に対して、直交する方向に脚部１１を上側とする方向で上下方向に配置されている。
【００４０】
ハンドル７は、駆動軸筒２に内装されたハンドル軸７１の軸心を中心に回転することにより駆動軸筒２に動力を付与する部材である。
図１に示すように、本実施形態では、ハンドル軸７１の断面形状を六角形断面に形成することで、駆動軸筒２に嵌合して回り止め係合する。なお、ハンドル軸７１は、駆動軸筒２を貫通した先端が、螺子部材７３を介して駆動軸筒２の先端に係合されている。
なお、ハンドル７の構成は限定されるものではなく、適宜公知の構成の中から選定して採用すればよい。
【００４１】
ロータ９は、図１に示すように、スプール８を先端に有するスプール軸４を挿通する回転軸筒９１を具備している。回転軸筒９１の後側端部にはピニオンギヤ９１ａが一体に形成されており、このピニオンギヤ９１ａがドライブギヤ２２と噛合された状態でリール本体１の前部分に配置されている。ロータ９は、ハンドル７を操作することにより導入された回転力により、ドライブギヤ２２とピニオンギヤ９１ａを介してスプール軸４の軸心を中心として回転する。
【００４２】
回転軸筒９１は、ハンドル軸７１の近傍から前方へ向けて延出された中空円筒状の部材であり、ベアリング等からなる軸受９２を介してリール本体１の前部に形成された円筒状の支持壁１２に回転可能に支持されている。
【００４３】
本実施形態の構成からなる魚釣用リールＲは、ハンドル７を介して駆動軸筒２を駆動軸筒２の軸心を中心に回転させることにより、ドライブギヤ２２を介してハンドル７の回転力がピニオンギヤ９１ａと螺軸ギヤ３２を介して螺軸３と回転軸筒９１に伝達される。ドライブギヤ２２を介して回転力が螺軸３に伝達されると、螺軸３は、その軸心を中心に回転する。そして、螺軸３が回転することにより、螺軸３の外周囲に形成された螺旋状の溝３１に係合された係合ピン５１が、螺旋状の溝３１に沿って前後方向に往復運動するため、係合ピン５１を保持する摺動子５と共にスプール軸４が前後方向に往復する。このスプール軸４の前後運動に伴い、駆動軸筒２から回転軸９１に回転力が伝達されることにより、ロータ９が回転するため、釣り糸をスプール８に平行に巻着することが可能となる。
【００４４】
以上説明した本実施形態の魚釣用リールＲによれば、スプール軸４と螺軸３とガイド軸６，６と係合ピン５１とが、駆動軸筒２と脚部１１を上側とする方向に直交する方向で、係合ピン５１の外径Ｄの中心線Ｐの延長線上に配置されているため、摺動子５の幅寸法を小さくすることが可能となり、摺動子５の小型化が可能となる。そのため、リール本体１において、摺動子５の専有面積を小さくすることで、リール本体１の内部の構成の自由度が向上する。
【００４５】
また、摺動子５の幅方向の厚みを薄くすることで、リール本体１の幅方向（ハンドル軸７１方向）の厚みを薄くすることが可能となる。これにより、リール本体１の小型化および軽量化を図ることが可能となるとともに、魚釣用リールＲのデザイン性の自由度が向上する。
【００４６】
摺動子５は、ガイド軸６に沿って摺動するため、螺軸３の回転に伴い螺旋状の溝３１に係合された係合ピン５１に回転力が作用することで発生するスプール軸４を中心とした回転方向のガタツキが抑えられて、安定した往復運動が実現される。
【００４７】
また、スプール軸４への摺動子５の固着が、スプール軸４の後端に形成された切欠係止部４１の係止面４１ａと、摺動子５の取付部５２の取付面５２ａとを当接させることにより行っているため、従来の嵌合方式による固着と比較して、当接面の不良等による影響が小さい。そのため、スプール軸４の前後方向の直線性を維持し、前後方向の往復運動の安定性が向上する。また、嵌合方式と比較して、摺動子５の小型化および軽量化を図ることが可能となる。
【００４８】
また、係合ピン５１は、係合ピン５１の下端に当接した状態で配設されたガイド軸６により、下方（螺軸と反対側端面）から支持されているため、係合ピン５１を固定するための固定手段を別途用いることなく、摺動子５により係合ピン５１を保持することが可能となる。そのため、固定手段を省略することによる摺動子５の小型化および軽量化を図るとともに、部品点数を省略することにより、魚釣用リールＲの製造時の手間を省略することが可能となる。
【００４９】
以上、本発明について、好適な実施形態について説明した。しかし、本発明は、前述の各実施形態に限られず、前記の各構成要素については、本発明の趣旨を逸脱しない範囲で、適宜設計変更が可能であることは言うまでもない。
例えば、前記実施形態では、スプール軸４と摺動子５との固着構成として、摺動子５の上部を切り欠くことにより取付部５２を形成し、スプール軸４の切欠係止部４１に固着する構成としたが、図４（ａ）に示すように、摺動子５に非円形のスプール孔５２’を形成し、スプール軸４の切欠係止部４１を回り止め嵌合する構成としてもよい。
【００５０】
また、前記実施形態では、摺動子５の保持穴５５に配設された係合ピン５１を、その下端に当接するように架設されたガイド軸６を支持することにより、保持する構成としたが、係合ピン５１の保持方法は、前記実施形態に示した方法に限定されるものではない。例えば、図４（ｂ）に示すように、摺動子５の周囲を被覆することで摺動子５を補強する外殻材５７を利用して、係合ピン５１の下端面を支持することで、係合ピン５１を保持する構成としてもよい。このとき、外殻材５７として、摺動子５の側面と下面を覆うことが可能なＬ字型の部材を使用すれば、スプール軸４と摺動子５との固着に使用する固着部材により、外殻材５７を固着することも可能となるため、部品点数を省略することが可能となる。
また、図４（ｃ）に示すように、係合ピン５１が螺軸３のスプール軸４側から螺軸３に係合している場合には、スプール軸４により係合ピン５１の反螺軸側端面を支持することで、係合ピン５１を保持する構成としてもよい。
【００５１】
また、前記実施形態では、ガイド軸を２本配設するものとしたが、例えば、図４（ｂ）に示すように１本としてもよく、ガイド軸の本数は限定されるものではない。また、ガタツキが生じる虞がない場合には、ガイド軸を省略してもよい。
【００５２】
また、前記実施形態では、２本のガイド軸６，６が、いずれも係合ピン５１の外径Ｄの中心線Ｐの延長線上又は略延長線上に配置されるものとしたが、例えば、図４（ｃ）に示すように、リール本体１に内部で比較的幅方向に余裕がある上側については、ガイド軸６を横方向にずらした位置に配設し、下側のガイド軸６のみが係合ピン５１の外径Ｄの中心線Ｐの延長線上に配置される構成としてもよく、ガイド軸６，６の配置は、前記実施形態のものに限定されるものではない。
【００５３】
また、前記実施形態では、螺軸３のスプール軸４の反対側から係合ピン５１を螺軸３に係合する構成としたが、係合ピン５１と螺軸３とスプール軸４とが、駆動軸筒２と直交する方向で係合ピン５１の中心線の延長上に配置されていればよく、例えば、図４（ｃ）に示すように、係合ピン５１が、螺軸３のスプール軸４側から螺軸３に係合していてもよい。
【００５４】
また、前記実施形態では、スプール軸４への摺動子５の固着を、ネジにより螺着するものとしたが、摺動子５のスプール軸４への固着方法は、これに限定されるものではない。
【００５５】
また、前記実施形態では、螺軸３を保持穴５５の上部を貫通するように、摺動子５を挿通させる物としたが、螺軸３への摺動子５の取付方法は限定されるものではなく適宜設定することが可能である。例えば、図４（ｂ）に示すように、摺動子５に横方向に開口する開口部５５ａを有した保持穴５５を形成することで、螺軸３に摺動子５を横方向から滑り込ませて装着してもよい。
【００５６】
また、本実施形態では、駆動軸として、ドライブギヤ２２が一体に形成された筒状の駆動軸筒２を使用し、ハンドル軸７１と別部材により構成するものとしたが、ハンドル軸７１と駆動軸とを同一部材により構成してもよい。
【図面の簡単な説明】
【００５７】
【図１】本発明の好適な実施形態に係る魚釣用リールを示す断面図（一部省略）である。
【図２】図１に示す魚釣用リールを後方から望む断面図である。
【図３】図２に示す魚釣用リールの摺動子を示す拡大断面図である。
【図４】（ａ）〜（ｃ）は、図３に示す摺動子の変形例を示す拡大断面図である。
【符号の説明】
【００５８】
１    リール本体
２    駆動軸筒（駆動軸）
３    螺軸
３１  螺旋状の溝
４    スプール軸
４１  切欠係止部
５    摺動子
５１  係合ピン
５２  取付部
５５  保持穴
６    ガイド軸
７    ハンドル
８    スプール
９    ロータ
【図１】
2008245561.tif 000003
【図２】
2008245561.tif 000004
【図３】
2008245561.tif 000005
【図４】
2008245561.tif 000006